(57)【要約】【課題】設置作業が容易な空気調和機の室外機を提供することである。【解決手段】室外機３は、ケーシング２０と、ケーシング２０の側面に取り付けられる閉鎖弁カバー３０とを備えている。ケーシング２０には、正面にファン吹出口２７が形成され、冷媒回路を開閉する弁が側面に露出するように取り付けられる。ケーシング２０の正面から背面に向かう方向にビスを貫通させるビス固定部であるビス孔３２ａが形成されている。【選択図】図１１
2016114343.tif 000002
【特許請求の範囲】
【請求項１】
正面にファン吹出口（２７）が形成され、冷媒回路を開閉する弁が側面に露出するように取り付けられるケーシング（２０）と、
前記ケーシングの前記正面から背面に向かう方向にビスを貫通させるビス固定部（３２ａ）が形成され、前記弁を覆うために前記ケーシングの前記側面に取り付けられる弁カバー（３０）と
を備える、空気調和機の室外機。
【請求項２】
前記ケーシングは、前記ビス固定部の背面側に当接するバーリング形成部を有する、
請求項１に記載の空気調和機の室外機。
【請求項３】
前記弁カバーは、前記ビス固定部にビスが貫通する方向が前記ケーシングの前記側面に対して水平方向に所定の第１角度を持つように前記ビス固定部が形成されている、
請求項１又は請求項２に記載の空気調和機の室外機。
【請求項４】
前記弁カバーは、前記ビス固定部にビスが貫通する方向が水平面に対して鉛直上方に所定の第２角度を持つように前記ビス固定部が形成されている、
請求項１から３のいずれか一項に記載の空気調和機の室外機。
【発明の詳細な説明】
【技術分野】
【０００１】
本発明は、空気調和機の室外機、特に、冷媒回路を有する空気調和機の室外機に関する。
【背景技術】
【０００２】
従来から、空気調和機の室外機には、特許文献１（特開２０１０−２８１４６１号公報）に開示されているように、空気調和機の室内機との間で接続される冷媒配管のための閉鎖弁を備えるものがある。そして、このような室外機には、閉鎖弁が、室外機のケーシングの一方の側面に設けられるものがある。このような空気調和機の室外機においては、閉鎖弁の保護及びケーシング側面の開口部の閉塞のために、特許文献１に記載されているような閉鎖弁カバーがケーシングの一方の側面に取り付けられる。
【発明の概要】
【発明が解決しようとする課題】
【０００３】
しかし、特許文献１に記載されているような従来の閉鎖弁カバーをケーシングの側面に固定するためには、室外機のケーシングの側面に仮止めされている閉鎖弁カバーに対してビスを当てて側面に対して垂直にビスを立てた状態で、ケーシングの側面からドライバーなどの締結工具によってビスを打ち込む作業が必要になる。そのため、閉鎖弁カバーとの間に隙間を設けられないような室外機の設置環境では、先に、閉鎖弁カバーにビス打ちをして閉鎖弁カバーをケーシングの側面に固定してから、閉鎖弁カバーが固定された状態の室外機を設置することが必要になっている。
【０００４】
このように閉鎖弁カバーを先に固定してから室外機を設置環境に設置する場合、閉鎖弁に冷媒配管が既に取り付けられた状態になってしまうことから、室外機を設置環境に向けて移動しているときに冷媒配管が損傷したり、室外機を設置環境に向けて移動させる作業者が傷害を負い易くなったりするため設置作業が困難になる可能性がある。
【０００５】
本発明の課題は、設置作業が容易な空気調和機の室外機を提供することである。
【課題を解決するための手段】
【０００６】
本発明の第１観点に係る空気調和機の室外機は、正面にファン吹出口が形成され、冷媒回路を開閉する弁が側面に露出するように取り付けられるケーシングと、ケーシングの正面から背面に向かう方向にビスを貫通させるビス固定部が形成され、弁を覆うためにケーシングの側面に取り付けられる弁カバーとを備える。
【０００７】
第１観点に係る空気調和機の室外機において、弁カバーに、正面から背面に向かう方向にビスを貫通させるビス固定部が形成されているので、ファン吹出口があって正面側に作業空間が確保される室外機では、正面側からビスを打てることで設置作業が容易になる。
【０００８】
本発明の第２観点に係る空気調和機の室外機は、第1観点の空気調和機の室外機において、ケーシングは、ビス固定部の背面側に当接するバーリング形成部を有する、ものである。
【０００９】
第２観点に係る空気調和機の室外機において、弁カバーのビス固定部にバーリング形成部が背面側から当接するので、ビス固定部とバーリング形成部を重ね合わせた状態を容易に維持でき、正面側からビスを打ち込むときにビス固定部が背面側に移動するのを防止することができる。
【００１０】
本発明の第３観点に係る空気調和機の室外機は、第1観点又は第２観点の空気調和機の室外機において、弁カバーは、ビス固定部にビスが貫通する方向がケーシングの側面に対して水平方向に所定の第１角度を持つようにビス固定部が形成されている、ものである。
【００１１】
第３観点に係る空気調和機の室外機において、ビス固定部にビスが貫通する方向がケーシングの側面に対して水平方向に所定の第１角度を持つので、ケーシングの前方斜め横から締結工具を差し込めるようになり、ケーシングの側面に締結工具が当たり難くなって、電動工具などの比較的大きな締結工具を使った作業が容易になる。
【００１２】
本発明の第４観点に係る空気調和機の室外機は、第１観点から第３観点のいずれかの空気調和機の室外機において、弁カバーは、ビス固定部にビスが貫通する方向が水平面に対して鉛直上方に所定の第２角度を持つようにビス固定部が形成されている、ものである。
【００１３】
第４観点に係る空気調和機の室外機において、ビス固定部にビスが貫通する方向が水平面に対して鉛直上方に所定の第２角度を持つので、ビス固定部の前方斜め上から締結工具を差し込めるようになり、ビス固定部が比較的設置面に近いところにある場合でもビス固定部より上の比較的高い位置から作業ができるようになる。
【発明の効果】
【００１４】
本発明の第１観点に係る空気調和機の室外機では、狭い設置場所での設置作業が容易になる。
【００１５】
本発明の第２観点に係る空気調和機の室外機では、ビス打ち作業が容易になる。
【００１６】
本発明の第３観点に係る空気調和機の室外機では、比較的大きな締結工具を使ったビス打ち作業が容易になる。
【００１７】
本発明の第４観点に係る空気調和機の室外機では、作業者の負担が軽減される。
【図面の簡単な説明】
【００１８】
【図１】本発明の一実施形態に係る空気調和機の概要を説明するための回路図。
【図２】室外機の外観の一例を示す斜視図。
【図３】室外機の設置環境を説明するための斜視図。
【図４】室外機と閉鎖弁カバーの分解斜視図。
【図５】図４に示されている閉鎖弁カバーの前部を示す平面図。
【図６】図４に示されている閉鎖弁カバーの側部を示す平面図。
【図７】図４に示されている閉鎖弁カバーの後部を示す平面図。
【図８】閉鎖弁カバーの上部を後部斜め上から見た部分拡大斜視図。
【図９】閉鎖弁カバーの上部を拡大した部分拡大断面図。
【図１０】（ａ）図６のＩ−Ｉ線端面図、（ｂ）図１０（ａ）の閉鎖弁カバーが左側板に固定される様子を示す端面図、（ｃ）図１０（ｂ）に対して垂直な方向の端面図。
【図１１】室外機と締結工具との位置関係を説明するための斜視図。
【発明を実施するための形態】
【００１９】
（１）空気調和装置の構成
図１には、本発明の一実施形態に係る空気調和機１０の回路構成の概要が示されている。この空気調和機１は、冷媒回路２を備えており、冷媒回路２中の冷媒を循環させることにより、蒸気圧縮式の冷凍サイクルを行う。冷媒回路２は、例えば図１に示されているように、１台の室外機３と１台の室内機４とが冷媒配管５，６によって接続された構成を有する。
【００２０】
具体的には、冷媒回路２は、圧縮機１１と、四路切換弁１２と、室外熱交換器１３と、膨張機構１４と、室内熱交換器１５と、アキュムレータ１６と、液側閉鎖弁１７と、ガス側閉鎖弁１８とを備えている。室内機４には、室内熱交換器１５が配置されている。室外機３には、圧縮機１１と、四路切換弁１２と、室外熱交換器１３と、膨張機構１４と、アキュムレータ１６と、液側閉鎖弁１７と、ガス側閉鎖弁１８とが配置されている。四路切換弁１２は、圧縮機１１の吐出側に接続された第１ポートと、室外熱交換器１３に接続された第２ポートと、アキュムレータ１６を介して圧縮機１１の吸入側に接続された第３ポートと、ガス側閉鎖弁１８を介して室内熱交換器１５に接続された第４ポートとを有している。また、室外熱交換器１３に膨張機構１４の一端が接続され、膨張機構１４の他端が液側閉鎖弁１７を介して室内熱交換器１５に接続されている。
【００２１】
冷房運転時には、図１に実線で示されている接続に四路切換弁１２が切り換えられる。このような冷房運転時の回路接続により、圧縮機１１から吐出された冷媒は、四路切換弁１２の第１ポートから第２ポート、室外熱交換器１３、膨張機構１４、液側閉鎖弁１７、室内熱交換器１５、ガス側閉鎖弁１８、四路切換弁１２の第４ポートから第３ポート、そしてアキュムレータ１６の順に循環し、圧縮機１１の吸入側に戻る。
【００２２】
暖房運転時には、図１に破線で示されている接続に四路切換弁１２が切り換えられる。このような暖房運転時の回路接続により、圧縮機１１から吐出された冷媒は、四路切換弁１２の第１ポートから第４ポート、ガス側閉鎖弁１８、室内熱交換器１５、液側閉鎖弁１７、膨張機構１４、室外熱交換器１３、四路切換弁１２の第２ポートから第３ポート、そしてアキュムレータ１６の順に循環し、圧縮機１１の吸入側に戻る。
【００２３】
（２）室外機３
室外機３は、図２に示されているような外観を呈する。図２では、矢印で示されている側に、室外機３の天面、底面、左側面、右側面、正面及び背面が配置されている。正面から背面に向かう方向がＹ軸方向であり、左側面から右側面に向かう方向がＸ軸方向であり、天面から底面に向かう方向がＺ軸方向である。室外機３は、略直方体状のケーシング２０と、ケーシング２０の左側面に固定されている閉鎖弁カバー３０とを備えている。ケーシング２０は、正面側に前板２１を有し、左側面側に左側板２２を有し、天面側に天板２３を有している。図２には示されていないが、背面側に室外熱交換器１３に室外空気を取り込むための開口部が設けられ、右側面に右側板が設けられ、底面側に底板が設けられている。図２に示されているファン吹出口２７は、正面の前板２１に形成されている。背面側の開口部から吸込まれた室外空気は、室外熱交換器１３を通過してファン吹出口２７から吹出される。
【００２４】
図３には、バルコニー１００に設置された室外機３の一例が示されている。図３に示されている室外機３の設置状況は、室外機３の左側面側に建物の壁１０１があって、左側板２２と壁１０１の間には作業者が立ち入ることのできるスペースが存在しない状況である。また、室外機３の右側面側は、バルコニー１００の壁１０２に接触しそうな状態である。さらに図３には、室外機３の閉鎖弁カバー３０から延びる冷媒配管５，６がバルコニー１００の壁１０３に沿って取り付けられる場合の一例が示されている。
【００２５】
図４には、ケーシング２０から閉鎖弁カバー３０を分離した状態が示されている。ケーシング２０の左側板２２からケーシング２０の外に突き出た液側閉鎖弁１７及びガス側閉鎖弁１８は、左側板２２の下部に配置されている。左側板２２の上部には、ケーシング２０の内部の器材にアクセスしたり、ケーシング２０の中から外に延びる部材及び食み出す部材を取り付けたりするための開口部２２ａが形成されている。また、左側板２２には、閉鎖弁カバー３０を固定するための係止孔２２ｂ及びビス孔２２ｃが形成されている。ビス孔２２ｃは、バーリング加工が施されたバーリング孔である。また、も、ビス孔２２ｃは開口部２２ａに設けられている。ビス孔２２ｃは、開口部２２ａの方に突出したバーリング形成部２２ｄに形成されている。このバーリング形成部２２ｄは、左側板２２と同じ金属板で形成され、左側板２２に対して折り曲げられている。
【００２６】
（３）閉鎖弁カバー３０
図５には、閉鎖弁カバー３０を室外機３の左側面方向から見た状態、つまり閉鎖弁カバー３０の前部が示されている。図６には、閉鎖弁カバー３０を室外機３の正面方向から見た状態、つまり閉鎖弁カバー３０の側部が示されている。図７には、閉鎖弁カバー３０を室外機３の右側面方向から見た状態、つまり閉鎖弁カバー３０の後部が示されている。また、図８には、閉鎖弁カバー３０の上部を後部斜め上から見た状態が示されている。さらに、図９には、閉鎖弁カバー３０の上部の断面が示されている。
【００２７】
閉鎖弁カバー３０には、左側板２２に密接する平坦な板状のカバー周縁部３１が設けられている。閉鎖弁カバー３０において、カバー周縁部３１に囲まれた領域には、膨出部３２が形成されている。液側閉鎖弁１７及びガス側閉鎖弁１８は、膨出部３２と左側板２２との間に形成される空間内に収納される。カバー周縁部３１は、配管引出し部３１ａを形成するための段差によって途切れている。この配管引出し部３１ａは、膨出部３２と左側板２２とによって形成される空間における外部に向けた開口部である。閉鎖弁カバー３０からは配管引出し部３１ａを通して図３に示されている冷媒配管５，６が引き出される。冷媒配管５，６には断熱材及びプラスチック製鞘などが巻き付けられて、冷媒配管５，６の外形は、配管引出し部３１ａと左側板２２とで囲まれた開口部の大きさに設定されている。従って、配管引出し部３１ａと左側板２２とで囲まれた開口部は、冷媒配管５，６によって、ほぼ隙間なく塞がれる。また、図６及び図７に示されているように膨出部３２には、左側板２２のビス孔２２ｃに対応する位置にビス孔３２ａが形成されている。このビス孔３２ａがビス固定部である。
【００２８】
閉鎖弁カバー３０の膨出部３２の上部には、閉鎖弁カバー３０の前部から後部に向かって凹んだ取っ手部３３が形成されている。閉鎖弁カバー３０がケーシング２０に固定されている状態で取っ手部３３を掴んで室外機３を持ち上げられる程度の強度が閉鎖弁カバー３０に与えられている。また、閉鎖弁カバー３０の略中央部には、虫が侵入しない程度の小さな通風孔３４が形成されている。
【００２９】
閉鎖弁カバー３０の後部側を見ると、カバー周縁部３１の５箇所に係止爪３１ｃが形成されている。これら係止爪３１ｃは、左側板２２の係止孔２２ｂに対応する位置に形成されている。係止爪３１ｃは、それぞれ側部から見てＬ字型に形成され、係止孔２２ｂに差し込んで上に持ち上げると左側板２２の裏側に引っ掛かる構成になっている。また、図６を見ると分かるように、閉鎖弁カバー３０の上部後部側にリブ３５が形成されている。このリブ３５は、左側板２２の開口部２２ａの上端部に引っ掛かるように形成され、取っ手部３３を掴んで室外機３を持ち上げるときにケーシング２０から掛かる荷重を受け止められる強度を持っている。ビス孔３２ａにビスが貫通して閉鎖弁カバー３０が固定されたときには、係止爪３１ｃ及びリブ３５の上面が左側板２２に接触した状態又は近接した状態で固定される。
【００３０】
例えば図３に示されているように閉鎖弁カバー３０を取り付けた状態では室外機３の左側面に垂直な方向でドライバー４０を使おうとしたときに建物の壁１０１にドライバー４０が当たってしまって作業ができない設置環境であっても、ファン吹出口２７のある正面側では常に作業ができる。その結果、従来のように狭くて室外機３の側面側ではドライバー４０が使用できない場合でも、ケーシング２０を所定位置に固定した後にビス孔３２ａを使って閉鎖弁カバー３０を固定できる。
【００３１】
図１０（ａ）に示されているように、ビス孔３２ａは、やや斜めに立ち上がる膨出部３２に形成されている。そのため、図１０（ｂ）に示されているように、バーリング形成部２２ｄも膨出部３２の裏面に沿うようにやや斜めに折り曲げられている。図１０（ｃ）に示されているように、ビス孔３２ａにバーリング形成部２２ｄが背面側から当接するので、ビス孔３２ａとバーリング形成部のビス孔を重ね合わせた状態を容易に維持させることができる。
【００３２】
図１１には、ドライバー４０の角度、つまりビス５０（図１０参照）が捩じ込まれる角度が示されている。図１１において、一点鎖線がビス５０の軸方向である。この一点鎖線がＹＺ平面、つまり左側板２２とのなす角がαである。つまり、ビス孔３２ａにビス５０が貫通する方向（一点鎖線の方向）がケーシング２０の左側板２２に対して水平方向に第１角度αを持つように、ビス孔３２ａ及びビス孔２２ｃが形成されているということである。図１１において、一点鎖線上の任意の点からＸＹ平面に垂線の足を下ろし、ビス孔３２ａからその足を通る破線を引く。ＸＹ平面状における破線とＹ軸とのなす角が第１角度αである。このように第１角度αでビス５０が貫通するので、ケーシング２０の前方斜め横から締結工具を差し込めるようになり、ケーシング２０の左側板２２に締結工具が当たりにくくなる。
【００３３】
また、この一点鎖線がＸＹ平面、つまり水平面とのなす角がγである。つまり、ビス孔３２ａにビス５０が貫通する方向（一点鎖線の方向）が水平面に対して鉛直上方に第２角度γを持つように、ビス孔３２ａ及びビス孔２２ｃが形成されているということである。図１１においては、破線と一点鎖線のなす角が第２角度γである。
【００３４】
このように第２角度γでビス５０が貫通するので、ケーシング２０の前方斜め上から締結工具を差し込めるようになり、作業者がビス孔３２ａよりも高い位置で作業できるようになる。なお、第１角度α及び第２角度γを設けるときには、バーリング形成部２２ｄの面を第１角度α、第２角度γだけ傾けてビス孔３２ａにビス５０が貫通する方向（一点鎖線の方向）に垂直になるように形成することが好ましい。第２角度γだけ傾けるためには、例えば、バーリング形成部２２ｄを折り曲げる際に、折り曲げ線が鉛直方向に対して角度γを持つように折り曲げればよい。
【００３５】
（４）特徴
（４−１）
以上説明したように、閉鎖弁カバー３０（弁カバーの例）に形成されているビス孔３２ａは、ケーシング２０の正面から背面にビス５０を貫通させるように形成されている。室外機３では、ケーシング２０の正面側にはファン吹出口２７があって、正面側に作業空間が確保される。その結果、正面側からビスを打てることで、狭い設置場所での設置作業が容易になる。なお、弁カバーは、液側閉鎖弁１７及びガス側閉鎖弁１８以外の弁体を覆うものであってもよい。
【００３６】
（４−２）
図１０（ｂ）に示されているように、閉鎖弁カバー３０のビス孔３２ａ（ビス固定部の例）にバーリング形成部２２ｄが背面側から当接するので、図１０（ｃ）に示されているように、ビス孔３２ａとバーリング形成部２２ｄのビス孔２２ｃを重ね合わせた状態が容易に維持され、正面側からビス５０を打ち込むときにビス孔３２ａが背面側に移動するのを防止することができ、ビス打ち作業が容易になる。
【００３７】
（４−３）
図１１に示されているように、ビス孔３２ａにビス５０が貫通する方向がケーシング２０の側面に対して水平方向に所定の第１角度αを持つので、ケーシングの前方斜め横から締結工具を差し込めるようになる。その結果、ケーシング２０の側面に締結工具が当たり難くなって、電動工具などの比較的大きな締結工具を使った作業が容易になり、比較的大きな締結工具を使ったビス打ち作業が容易になる。
【００３８】
（４−４）
図１１に示されているように、ビス孔３２ａにビス５０が貫通する方向が水平面に対して鉛直上方に所定の第２角度γを持つので、ビス孔３２ａの前方斜め上から締結工具を差し込めるようになり、ビス孔３２ａが比較的設置面に近いところにある場合でもビス孔３２ａより上の比較的高い位置から作業ができるようになり、作業者の負担が軽減される。
【００３９】
（５）変形例
（５−１）変形例１Ａ
上記実施形態では、ビス固定部であるビス孔３２ａが閉鎖弁カバー３０の膨出部３２の側部に設けられている場合について説明したが、ビス固定部は、例えば膨出部３２の上面３２ｂに形成されていてもよい。例えば、上面３２ｂに前方に傾斜している箇所を設けることで、ケーシング２０の正面から背面にビス５０を貫通させるビス固定部を形成することができる。
【００４０】
（５−２）変形例１Ｂ
上記実施形態では、閉鎖弁カバー３０がケーシング２０の左側面に取り付けられる場合を説明したが、閉鎖弁カバー３０がケーシング２０の右側面に取り付けられる場合にも本願発明を適用できる。
【符号の説明】
【００４１】
１    空気調和機
２０    ケーシング
２２ｄ    バーリング形成部
２７    ファン吹出口
３０    閉鎖弁カバー（弁カバーの例）
３２ａ    ビス孔（ビス固定部の例）
【先行技術文献】
【特許文献】
【００４２】
【特許文献１】特開２０１０−２８１４６１号公報
【図１】
2016114343.tif 000003
【図２】
2016114343.tif 000004
【図３】
2016114343.tif 000005
【図４】
2016114343.tif 000006
【図５】
2016114343.tif 000007
【図６】
2016114343.tif 000008
【図７】
2016114343.tif 000009
【図８】
2016114343.tif 000010
【図９】
2016114343.tif 000011
【図１０】
2016114343.tif 000012
【図１１】
2016114343.tif 000013